(57)【特許請求の範囲】
【請求項１】
所定光軸上に配置される投影レンズと、前記投影レンズの焦点近傍に配置された半導体光源と、を備えた車両用前照灯において、
前記投影レンズと前記半導体光源の間に配置され、前記半導体光源が発光した光を反射し前記投影レンズに入射させるための反射面であって、前記投影レンズが配置される投影レンズ側開口端とその反対側の前記投影レンズ側開口端よりも小径で前記半導体光源が配置される半導体光源側開口端を有し、前記投影レンズ側開口端から前記半導体光源側開口端に向かうにつれて前記所定光軸に直交する平面で切断した際の断面が小さくなり、かつ、前記所定光軸に向かって膨らんだ筒状反射面を備え、
前記筒状反射面は、
前記所定光軸を含む水平面で切断した際に、前記所定光軸側に膨らんだ右曲線及び前記所定光軸側に膨らんだ左曲線が現れ、
前記所定光軸を含む鉛直面で切断した際に、前記所定光軸側に膨らんだ上曲線及び前記所定光軸側に膨らんだ下曲線が現れるように形成され、
前記筒状反射面の半導体光源側開口に接する接線面を想定したとき、当該接線面と前記所定光軸との交点が、前記半導体光源よりも前記投影レンズから遠い位置になるように配置され、当該接線面を想定した反射面による反射光が前記投影レンズの開口端側に向かって反射し、
かつ、
前記筒状反射面の投影レンズ側開口端に接する接線面を想定したとき、当該接線面と前記所定光軸との交点が、前記半導体光源側開口に接する接線面との交点よりも、前記投影レンズに近い側に位置するように配置され、
前記半導体光源の発光面は、前記投影レンズに対向させた状態で空間を隔てて配置されていることを特徴とする車両用前照灯。
【請求項２】
前記筒状反射面は、
前記所定光軸を含む水平面で切断した際に、一端が前記投影レンズ側開口端に位置し、他端が前記半導体光源側開口端に位置し、かつ、前記所定光軸側に膨らんだ右曲線、及び、一端が前記投影レンズ側開口端に位置し、他端が前記半導体光源側開口端に位置し、かつ、前記所定光軸側に膨らんだ左曲線が現れ、
前記所定光軸を含む鉛直面で切断した際に、一端が前記投影レンズ側開口端に位置し、他端が前記半導体光源側開口端に位置し、かつ、前記所定光軸側に膨らんだ上曲線、及び、一端が前記投影レンズ側開口端に位置し、他端が前記半導体光源側開口端に位置し、かつ、前記所定光軸側に膨らんだ下曲線が現れるように形成されていることを特徴とする請求項１に記載の車両用前照灯。
【請求項３】
前記筒状反射面は、前記所定光軸に直交する平面で切断した際に、前記右曲線、左曲線、上曲線及び下曲線を通過する円断面又は楕円断面が現れるように形成されていることを特徴とする請求項１に記載の車両用前照灯。
【請求項４】
前記右曲線、左曲線、上曲線及び下曲線は、円弧、双曲線、又は、２次以上の自由曲線であることを特徴とする請求項３に記載の車両用前照灯。
【請求項５】
前記筒状反射面は、前記所定光軸に直交する平面で切断した際に、前記右曲線を通過する直線又は外側に膨らんだ凸曲線、前記左曲線を通過する直線又は外側に膨らんだ凸曲線、前記上曲線を通過する直線又は外側に膨らんだ凸曲線、前記下曲線を通過する直線又は外側に膨らんだ凸曲線で構成される略矩形断面が現れるように形成されていることを特徴とする請求項２に記載の車両用前照灯。
【請求項６】
前記筒状反射面は、前記略矩形断面の角の部分が面取りされていることを特徴とする請求項５に記載の車両用前照灯。
【請求項７】
前記投影レンズを保持するレンズ保持部材をさらに備え、
前記筒状反射面は、前記レンズ保持部材に形成されていることを特徴とする請求項１から６のいずれかに記載の車両用前照灯。
【発明の詳細な説明】
【技術分野】
【０００１】
本発明は、車両用前照灯に係り、特に投影レンズの径を小型化しても適切な中心光度と配光パターンを得ることができる車両用前照灯に関する。
【背景技術】
【０００２】
従来、半導体光源であるＬＥＤからの光をリフレクタで反射することなく直接投影レンズに入射させ投影するダイレクトプロジェクション型の車両用灯具が知られている（例えば特許文献１）。
【０００３】
この特許文献１に記載の車両用灯具は、図１６に示すように、半導体光源であるＬＥＤ１０´、ＬＥＤ１０´の発光面１０ａ´前方に配置された投影レンズ２０´、及び、ＬＥＤ１０´と投影レンズ２０´の間に配置されたシェード３０´を有しており、ＬＥＤ１０´が発光した光の一部がシェード３０´によって遮光された後、投影レンズ２０´に入射し、前方に投影されるようになっている。
【特許文献１】特開２００５−２１９７１３号公報
【発明の開示】
【発明が解決しようとする課題】
【０００４】
この種のダイレクトプロジェクション型の車両用灯具においては、半導体光源を直接拡大投影しているため、半導体光源の大きさが同一の場合、配光パターンの大きさと中心光度値は、投影レンズの径と焦点距離に依存する。このため、投影レンズの径を小型化しつつ適切な中心光度を得るためには、投影レンズの焦点距離を長くしなければならない。
【０００５】
しかしながら、投影レンズの焦点距離を長くすると、配光パターンが極端に小さくなるという問題、及び、半導体光源から入射する光の量も低下する（光束利用効率が低下する）という問題がある。一方、配光パターンを大きくするには、投影レンズの焦点距離を短くすればよいが、拡大率が大きくなるため、中心光度は低下する。
【０００６】
本発明は、このような事情に鑑みてなされたものであり、投影レンズの径を小型化しても適切な中心光度を得ることができ、光束利用効率の高い車両用前照灯を提供することを目的とする。
【課題を解決するための手段】
【０００７】
上記課題を解決するために、請求項１に記載の発明は、所定光軸上に配置される投影レンズと、前記投影レンズの焦点近傍に配置された半導体光源と、を備えた車両用前照灯において、前記投影レンズと前記半導体光源の間に配置され、前記半導体光源が発光した光を反射し前記投影レンズに入射させるための反射面であって、前記投影レンズが配置される投影レンズ側開口端とその反対側の前記投影レンズ側開口端よりも小径で前記半導体光源が配置される半導体光源側開口端を有し、前記投影レンズ側開口端から前記半導体光源側開口端に向かうにつれて前記所定光軸に直交する平面で切断した際の断面が小さくなり、かつ、前記所定光軸に向かって膨らんだ筒状反射面を備え、前記筒状反射面は、前記所定光軸を含む水平面で切断した際に、前記所定光軸側に膨らんだ右曲線及び前記所定光軸側に膨らんだ左曲線が現れ、前記所定光軸を含む鉛直面で切断した際に、前記所定光軸側に膨らんだ上曲線及び前記所定光軸側に膨らんだ下曲線が現れるように形成され、前記筒状反射面の半導体光源側開口に接する接線面を想定したとき、当該接線面と前記所定光軸との交点が、前記半導体光源よりも前記投影レンズから遠い位置になるように配置され、当該接線面を想定した反射面による反射光が前記投影レンズの開口端側に向かって反射し、かつ、前記筒状反射面の投影レンズ側開口端に接する接線面を想定したとき、当該接線面と前記所定光軸との交点が、前記半導体光源側開口に接する接線面との交点よりも、前記投影レンズに近い側に位置するように配置され、前記半導体光源の発光面は、前記投影レンズに対向させた状態で空間を隔てて配置されていることを特徴とする。
【０００８】
請求項１に記載の発明によれば、半導体光源が発光した光は、光源の実像を直接投影されるのみならず筒状反射面（投影レンズ側開口端から半導体光源側開口端に向かうにつれて断面が小さくなり、かつ、所定光軸に向かって膨らんだ筒状の反射面）により、ほぼ余すことなく投影レンズに入射し、投影されることにより、半導体光源の実像及び半導体光源の実像から周囲に向かうにつれてグラデーション的に光度が低下する周囲部分を有する配光パターンが得られる。すなわち、請求項１に記載の発明によれば、投影レンズの径を小型化しても適切な中心光度と配光パターンを得ることができ、光束利用効率の高い車両用前照灯を提供することが可能となる。
【０００９】
請求項２に記載の発明は、請求項１に記載の発明において、前記筒状反射面は、前記所定光軸を含む水平面で切断した際に、一端が前記投影レンズ側開口端に位置し、他端が前記半導体光源側開口端に位置し、かつ、前記所定光軸側に膨らんだ右曲線、及び、一端が前記投影レンズ側開口端に位置し、他端が前記半導体光源側開口端に位置し、かつ、前記所定光軸側に膨らんだ左曲線が現れ、前記所定光軸を含む鉛直面で切断した際に、一端が前記投影レンズ側開口端に位置し、他端が前記半導体光源側開口端に位置し、かつ、前記所定光軸側に膨らんだ上曲線、及び、一端が前記投影レンズ側開口端に位置し、他端が前記半導体光源側開口端に位置し、かつ、前記所定光軸側に膨らんだ下曲線が現れるように形成されていることを特徴とする。
【００１０】
これは、筒状反射面を、右曲線、左曲線、上曲線、下曲線の４つの曲線で特定した例である。本発明の筒状反射面は、これらの曲線に限定されるものでなく、これら以外の曲線で特定してもよい。
【００１１】
請求項３に記載の発明は、請求項１に記載の発明において、前記筒状反射面は、前記所定光軸に直交する平面で切断した際に、前記右曲線、左曲線、上曲線及び下曲線を通過（交差）する円断面又は楕円断面が現れるように形成されていることを特徴とする。
【００１２】
これは、筒状反射面を、円断面又は楕円断面でさらに特定した例である。
【００１３】
請求項４に記載の発明は、請求項３に記載の発明において、前記右曲線、左曲線、上曲線及び下曲線は、円弧、双曲線、又は、２次以上の自由曲線であることを特徴とする。
【００１４】
これは、前記右曲線、左曲線、上曲線及び下曲線の例示である。従って、本発明の右曲線、左曲線、上曲線及び下曲線は、これら曲線に限定されず、他の曲線であってもよい。
【００１５】
請求項５に記載の発明は、請求項２に記載の発明において、前記筒状反射面は、前記所定光軸に直交する平面で切断した際に、前記右曲線を通過する直線又は外側に膨らんだ凸曲線、前記左曲線を通過する直線又は外側に膨らんだ凸曲線、前記上曲線を通過する直線又は外側に膨らんだ凸曲線、前記下曲線を通過する直線又は外側に膨らんだ凸曲線で構成される略矩形断面が現れるように形成されていることを特徴とする。
【００１６】
これは、筒状反射面を、略矩形断面でさらに特定した例である。
【００１７】
請求項６に記載の発明は、請求項５に記載の発明において、前記筒状反射面は、前記略矩形断面の角の部分が面取りされていることを特徴とする。
【００１８】
請求項６に記載の発明によれば、筒状反射面を、略矩形断面にするのと比較して、円形又は楕円に近い配光パターンを得ることが可能となる。
【００１９】
請求項７に記載の発明は、請求項１から６のいずれかに記載の車両用前照灯において、前記投影レンズを保持するレンズ保持部材をさらに備え、前記筒状反射面は、前記レンズ保持部材に形成されていることを特徴とする。
【００２０】
これは、筒状反射面の配置例である。このようにすれば、レンズ保持部材と筒状反射面を一体的に構成できるため、部品点数を削減できる。
【発明の効果】
【００２１】
本発明によれば、投影レンズの径を小型化しても適切な中心光度と配光パターンを得ることができ、光束利用効率の高い車両用前照灯を提供することが可能となる。
【発明を実施するための最良の形態】
【００２２】
以下、本発明の一実施形態である車両用前照灯について図面を参照しながら説明する。
【００２３】
図１は、本実施形態の車両用前照灯を水平面で切断した断面図である。図２は、本実施形態の車両用前照灯を鉛直面で切断した断面図である。図３は、レンズ保持部材に形成された筒状反射面の斜視図である。
【００２４】
図１、図２に示すように、本実施形態の車両用前照灯１００は、自動車等の車両又はオートバイ等の自動二輪車の前照灯又はフォグランプ等に適用されるものであり、車両前後方向に延びる所定光軸ＡＸ上に投影レンズ２０を保持するレンズ保持部材１０、レンズ保持部材１０に保持される投影レンズ２０、半導体光源３０、レンズ保持部材１０に形成された反射面４０、シェード５０等を備えている。
【００２５】
レンズ保持部材１０には、図１、図２、図３に示すように、一方の面１１から他方の面１２に貫通した貫通穴１３が形成されている。この貫通穴１３の内壁１３ａは、投影レンズ２０側開口端から半導体光源３０側開口端に向かうにつれて断面（所定光軸ＡＸに直交する面で切断した際に現れる断面）が小さくなり、かつ、所定光軸ＡＸに向かって膨らんだ形状に形成されている。
【００２６】
レンズ保持部材１０は、例えば、合成樹脂材料を射出成形することにより形成されており、少なくとも貫通穴１３の内壁１３ａには、後述のように反射面４０をなすため、アルミ蒸着等による鏡面加工が施されている。これにより、貫通穴１３の内壁１３ａには、投影レンズ２０側開口端から半導体光源３０側開口端に向かうにつれて断面が小さくなり、かつ、所定光軸ＡＸに向かって膨らんだ筒状の反射面４０が形成される。なお、貫通穴１３に鏡面を有する別部材を嵌め込むことにより反射面４０を形成してもよい。
【００２７】
投影レンズ２０側開口端には、段差部が形成されている。投影レンズ１０は、この段差部に嵌入され接着剤、係合爪、固定リング等の公知の固定手段により、投影レンズ２０側開口端に固定されている。半導体光源３０側開口端には、投影レンズ２０の焦点近傍に半導体光源３０（の発光面３０ａ）が、その発光面３０ａを投影レンズ２０に対向させた状態で配置されている。半導体光源３０は、例えば、１つ又は複数の白色又は有色の発光ダイオードが配置されたＬＥＤパッケージである。
【００２８】
次に、反射面４０の詳細について説明する。
【００２９】
反射面４０は、図１に示すように、所定光軸ＡＸを含む水平面で切断した際に、一端が投影レンズ２０側開口端に位置し、他端が半導体光源３０側開口端に位置し、かつ、所定光軸ＡＸ側に膨らんだ右曲線ＲＣ、及び、一端が投影レンズ２０側開口端に位置し、他端が半導体光源３０側開口端に位置し、かつ、所定光軸ＡＸ側に膨らんだ左曲線ＬＣが現れるように形成されている。なお、右曲線ＲＣと左曲線ＬＣは、所定光軸ＡＸに対して線対称となっている。
【００３０】
また、反射面４０は、図２に示すように、所定光軸ＡＸを含む鉛直面で切断した際に、一端が投影レンズ２０側開口端に位置し、他端が半導体光源３０側開口端に位置し、かつ、所定光軸ＡＸ側に膨らんだ上曲線ＵＣ、及び、一端が投影レンズ２０側開口端に位置し、他端が半導体光源３０側開口端に位置し、かつ、所定光軸ＡＸ側に膨らんだ下曲線が現れるように形成されている。なお、上曲線ＵＣと下曲線ＤＣは、所定光軸ＡＸに対して線対称となっている。
【００３１】
具体的には、例えば、図１に示すように、投影レンズ２０の有効レンズ部分の一端と半導体光源３０の中心を通る直線Ｌ１を接線とする曲線Ｌ２を左曲線ＬＣとして採用する。右曲線ＲＣ、上曲線ＵＣ、下曲線ＤＣについても同様である。
【００３２】
また、反射面４０は、図４に示すように、所定光軸ＡＸに直交する平面で切断した際に、右曲線ＲＣ、左曲線ＬＣ、上曲線ＵＣ及び下曲線ＤＣを通過（交差）する円断面Ｃ１又は楕円断面Ｃ２（例えば、円錐曲線）が現れるように形成されている。従って、全面において境目なく連続的に滑らかにつながった反射面４０を得ることが可能となる。なお、右曲線ＲＣ、左曲線ＬＣ、上曲線ＵＣ及び下曲線ＤＣとしては、円弧、双曲線、又は、２次以上の自由曲線のいずれかを用いることが可能である。
【００３３】
以上のように、貫通穴１３の内壁１３ａには、投影レンズ２０側開口端から半導体光源３０側開口端に向かうにつれて断面が小さくなり、かつ、所定光軸ＡＸに向かって膨らんだ筒状の反射面４０が形成されている。
【００３４】
この反射面４０により、図５に示すように、中央に投影される半導体光源３０の実像Ｇ１及び半導体光源３０の実像Ｇ１から周囲に向かうにつれてグラデーション的に光度が低下する周囲部分Ｇ２、Ｇ３、Ｇ４を有する配光パターンが得られる。なお、右曲線ＲＣ、左曲線ＬＣ、上曲線ＵＣ及び下曲線ＤＣとして、円弧を採用すれば、光度低下の割合が均一の配光パターンを得ることが可能である。また、右曲線ＲＣ、左曲線ＬＣ、上曲線ＵＣ及び下曲線ＤＣとして、適宜の曲率の双曲線、又は、２次以上の自由曲線を採用することで、光度低下の割合が所望の配光パターンを得ることが可能である。
【００３５】
また、図１、図２、図６に示すように、半導体光源３０の発光面３０ａ前方にシェード５０を配置することにより光の一部が遮光され、図７に示すように、半導体光源３０の実像Ｇ１、半導体光源３０の実像Ｇ１から周囲に向かうにつれてグラデーション的に光度が低下する周囲部分Ｇ２、Ｇ３、Ｇ４、及び、カットオフパターンを有する配光が得られる。なお、以下の図８から図１０に示すように、反射面４０で反射した虚像パターンＺ１、Ｚ２、Ｚ３は、純粋に光源像が大きくなる方向に拡散する。カットオフパターン形成のため、反射面４０と半導体光源３０の間にシェード５０を配置した場合、遮光方向には光が行かず、虚像は存在しない。よって、このような反射面４０を用いた場合でも、明瞭なカットオフパターンを得ることが可能である。
【００３６】
次に、上記のように、半導体光源３０の実像Ｇ１及び半導体光源３０の実像Ｇ１から周囲に向かうにつれてグラデーション的に光度が低下する周囲部分Ｇ２、Ｇ３、Ｇ４を有する配光パターンが得られる原理について説明する。
【００３７】
図８、図９、図１０は、この原理を説明するための図である。
【００３８】
図８においては、説明簡略化のため、反射面４０の投影レンズ２０側開口端に接する接線面（反射面）Ｈ１を想定している。
【００３９】
反射面４０の投影レンズ２０側開口端においては、半導体光源３０からの光は、図８（ａ）に矢印Ｙ１で示すように反射し曲率に応じた大きさの虚像Ｚ１を形成する。この図８（ａ）に示す反射面４０の投影レンズ２０側開口端における配光パターンは、図８（ｂ）に示すように、半導体光源３０が投影レンズ２０によって投影された像Ｐ１、半導体光源３０の像Ｐ１から周囲に向かうにつれてグラデーション的に光度が低下する周囲部分を構成する虚像Ｚ１を投影レンズ２０によって投影したＰ２となる。なお、図８（ｂ）では、反射面４０上のある反射点の光源虚像変化と実像の投影図を模式的に表しているが、実際には同現象が、光源実像を中心に、放射状に発生し、図５に示すような、円形又は楕円状の配光パターンとなる。なお、右曲線ＲＣ、左曲線ＬＣの曲率と、上曲線ＵＣ、下曲線ＤＣの曲率を調整することで、図５に示すような、水平方向に横長の配光パターンを形成することや、その他形状の配光パターンに調整することが可能である。
【００４０】
図９においては、説明簡略化のため、反射面４０の中間点に接する接線面（反射面）Ｈ２を想定している。
【００４１】
反射面４０の中間点においては、半導体光源３０からの光は、図９（ａ）に矢印Ｙ２で示すように反射し曲率に応じた大きさの虚像Ｚ２を形成する。この図９（ａ）に示す反射面４０の中間点における配光パターンは、図９（ｂ）に示すように、半導体光源３０が投影レンズ２０によって投影された像Ｐ３、半導体光源３０の像Ｐ３から周囲に向かうにつれてグラデーション的に光度が低下する周囲部分を構成する虚像Ｚ１を投影レンズ２０によって投影したＰ４となる。なお、図９（ｂ）では、反射面４０上のある反射点の光源虚像変化と実像の投影図を模式的に表しているが、実際には同現象が、光源実像を中心に、放射状に発生し、図５に示すような、円形又は楕円状の配光パターンとなる。なお、右曲線ＲＣ、左曲線ＬＣの曲率と、上曲線ＵＣ、下曲線ＤＣの曲率を調整することで、図５に示すような、水平方向に横長の配光パターンを形成することや、その他形状の配光パターンに調整することが可能である。
【００４２】
図１０においては、説明簡略化のため、反射面４０の中間点に接する接線面（反射面）Ｈ２を想定している。
【００４３】
反射面４０の半導体光源３０側開口端においては、半導体光源３０からの光は、図１０（ａ）に矢印Ｙ３で示すように反射し曲率に応じた大きさの虚像Ｚ３を形成する。この図１０（ａ）に示す反射面４０の半導体光源３０側開口端における配光パターンは、図１０（ｂ）に示すように、半導体光源３０が投影レンズ２０によって投影された像Ｐ５、半導体光源３０の像Ｐ５から周囲に向かうにつれてグラデーション的に光度が低下する周囲部分を構成する虚像Ｚ１を投影レンズ２０によって投影したＰ６となる。なお、図１０（ｂ）では、反射面４０上のある反射点の光源虚像変化と実像の投影図を模式的に表しているが、実際には同現象が、光源実像を中心に、放射状に発生し、図５に示すように、円形又は楕円状の配光パターンとなる。なお、右曲線ＲＣ、左曲線ＬＣの曲率と、上曲線ＵＣ、下曲線ＤＣの曲率を調整することで、図５に示すような、水平方向に横長の配光パターンを形成することや、その他形状の配光パターンに調整することが可能である。
【００４４】
以上の図８（ｂ）、図９（ｂ）、図１０（ｂ）に示した配光パターンＰ１〜Ｐ６は、図１１に示すように重畳される。これにより、中央に投影される半導体光源３０の実像Ｇ１及び半導体光源３０の実像Ｇ１から周囲に向かうにつれてグラデーション的に光度が低下する周囲部分Ｇ２、Ｇ３、Ｇ４を有する配光パターンが得られる。
【００４５】
以上説明したように、本実施形態の車両用前照灯１００によれば、半導体光源３０が発光した光は、筒状反射面４０（投影レンズ２０側開口１３端から半導体光源３０側開口１３端に向かうにつれて断面（所定光軸ＡＸに直交する平面で切断した際の断面）が小さくなり、かつ、所定光軸ＡＸに向かって膨らんだ筒状の反射面４０）により、ほぼ余すことなく投影レンズ２０に入射し、投影されることにより、半導体光源３０の実像Ｇ１及び半導体光源３０の実像Ｇ１から周囲に向かうにつれてグラデーション的に光度が低下する周囲部分Ｇ２、Ｇ３、Ｇ４を有する配光パターンが得られる。すなわち、本実施形態の車両用前照灯１００によれば、投影レンズ２０の径を小型化しても適切な中心光度を得ることができ、光束利用効率の高い車両用前照灯１００を提供することが可能となる。
【００４６】
次に、変形例について説明する。
【００４７】
上記実施形態では、反射面４０は、図４に示すように、所定光軸ＡＸに直交する平面で切断した際に、右曲線ＲＣ、左曲線ＬＣ、上曲線ＵＣ及び下曲線ＤＣを通過する円断面Ｃ１又は楕円断面Ｃ２が現れるように形成されているように説明したが、本発明は、これに限定されない。例えば、図１２、図１３に示すように、所定光軸ＡＸに直交する平面で切断した際に、右曲線ＲＣを通過する外側に膨らんだ凸曲線Ｃ１（又は直線）、左曲線ＬＣを通過する外側に膨らんだ凸曲線Ｃ２（又は直線）、上曲線ＵＣを通過する外側に膨らんだ凸曲線Ｃ３（又は直線）及び下曲線ＤＣを通過する外側に膨らんだ凸曲線Ｃ４（又は直線）で構成される略矩形断面が現れるように形成されていてもよい。
【００４８】
なお、略矩形断面の角の部分は、図１４、１５に示すように面取りされていてもよい。
【００４９】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００５０】
【図１】本実施形態の車両用前照灯を水平面で切断した断面図である。
【図２】本実施形態の車両用前照灯を鉛直面で切断した断面図である。
【図３】レンズ保持部材に形成された筒状反射面の斜視図である。
【図４】レンズ保持部材に形成された筒状反射面の正面図である。
【図５】レンズ保持部材に形成された筒状反射面により形成される配光パターンの例である。
【図６】シェードの例である。
【図７】レンズ保持部材に形成された筒状反射面及びシェードにより形成されるカットオフパターンを有する配光パターンの例である。
【図８】半導体光源３０の実像Ｇ１及び半導体光源３０の実像Ｇ１から周囲に向かうにつれてグラデーション的に光度が低下する周囲部分Ｇ２、Ｇ３、Ｇ４を有する配光パターンが得られる原理について説明するための図である。
【図９】半導体光源３０の実像Ｇ１及び半導体光源３０の実像Ｇ１から周囲に向かうにつれてグラデーション的に光度が低下する周囲部分Ｇ２、Ｇ３、Ｇ４を有する配光パターンが得られる原理について説明するための図である。
【図１０】半導体光源３０の実像Ｇ１及び半導体光源３０の実像Ｇ１から周囲に向かうにつれてグラデーション的に光度が低下する周囲部分Ｇ２、Ｇ３、Ｇ４を有する配光パターンが得られる原理について説明するための図である。
【図１１】レンズ保持部材に形成された筒状反射面により形成される配光パターンの例である。
【図１２】本実施形態の車両用前照灯の変形例を説明するための図である。
【図１３】本実施形態の車両用前照灯の変形例を説明するための図である。
【図１４】本実施形態の車両用前照灯の変形例を説明するための図である。
【図１５】本実施形態の車両用前照灯の変形例を説明するための図である。
【図１６】従来の車両用前照灯を説明するための図である。
【符号の説明】
【００５１】
１００…車両用前照灯、１０…レンズ保持部材、２０…投影レンズ、３０…半導体光源、４０…反射面（筒状反射面）、５０…シェード
【図１】
0005152487.tif 000002
【図２】
0005152487.tif 000003
【図３】
0005152487.tif 000004
【図４】
0005152487.tif 000005
【図５】
0005152487.tif 000006
【図６】
0005152487.tif 000007
【図７】
0005152487.tif 000008
【図８】
0005152487.tif 000009
【図９】
0005152487.tif 000010
【図１０】
0005152487.tif 000011
【図１１】
0005152487.tif 000012
【図１２】
0005152487.tif 000013
【図１３】
0005152487.tif 000014
【図１４】
0005152487.tif 000015
【図１５】
0005152487.tif 000016
【図１６】
0005152487.tif 000017